(57)【要約】【課題】小型化、軽量化を図ることができ、また、組み立て（製造）、メンテナンス等を容易かつ迅速に行うことができるロボットおよびロボットシステムを提供すること。【解決手段】回動軸周りに回動可能なアームと、回動可能な出力軸を有するモーター本体と、前記モーター本体の外周部の少なくとも一部を覆うモーターカバーと、を有し、前記アームを回動させる駆動力を発生するモーターと、前記モーターに取り付けられ、前記出力軸を制動することが可能なブレーキと、を備え、前記モーターカバーは、前記モーターを前記アームに取り付ける取付部と、前記モーターに対して前記ブレーキを位置決めする位置決め部と、を有し、前記取付部と、前記位置決め部とが一体的に形成されていることを特徴とするロボット。【選択図】図１
2019076985.tif 000002
【特許請求の範囲】
【請求項１】
回動軸周りに回動可能なアームと、
回動可能な出力軸を有するモーター本体と、前記モーター本体の外周部の少なくとも一部を覆うモーターカバーと、を有し、前記アームを回動させる駆動力を発生するモーターと、
前記モーターに取り付けられ、前記出力軸を制動することが可能なブレーキと、を備え、
前記モーターカバーは、前記モーターを前記アームに取り付ける取付部と、前記モーターに対して前記ブレーキを位置決めする位置決め部と、を有し、
前記取付部と、前記位置決め部とが一体的に形成されていることを特徴とするロボット。
【請求項２】
前記取付部は、前記出力軸の軸方向と交差する方向において延在している請求項１に記載のロボット。
【請求項３】
前記位置決め部は、前記ブレーキと係合する凹部を有する請求項１または２に記載のロボット。
【請求項４】
前記モーターカバーは、第１部分と、前記第１部分よりも前記ブレーキ側に配置された第２部分と、を有し、
前記出力軸の軸方向から見て、前記第２部分が前記第１部分より外側に突出している請求項１ないし３のいずれか１項に記載のロボット。
【請求項５】
前記第２部分は前記取付部を有する請求項４に記載のロボット。
【請求項６】
前記モーターに取り付けられ、前記モーターを駆動する駆動基板を有し、
前記モーターカバーに、前記駆動基板が取り付けられる駆動基板用取付部が設けられている請求項１ないし５のいずれか１項に記載のロボット。
【請求項７】
請求項１ないし６のいずれか１項に記載のロボットと、
前記ロボットの駆動を制御する制御装置と、を備えることを特徴とするロボットシステム。
【発明の詳細な説明】
【技術分野】
【０００１】
本発明は、ロボットおよびロボットシステムに関するものである。
【背景技術】
【０００２】
基台と、複数のアーム（リンク）を有するロボットアームとを備えるロボットが知られている。ロボットアームの隣り合う２つのアームのうちの一方のアームは、関節部を介して、他方のアームに回動可能に連結され、最も基端側（最も上流側）のアームは、関節部を介して、基台に回動可能に連結されている。関節部はモーターにより駆動され、その関節部の駆動により、アームが回動する。また、関節部には、必要に応じて、モーターの出力軸を制動するブレーキが設けられている。また、最も先端側（最も下流側）のアームには、エンドエフェクターとして、例えば、着脱可能にハンドが装着される。そして、ロボットは、例えば、ハンドで対象物を把持し、その対象物を所定の場所へ移動させ、組立等の所定の作業を行う。
【０００３】
このようなロボットでは、モーターをロボットに取り付けるには、まず、ロボットへの取り付けに用いるフランジ（取付部）をモーターに取り付け、次に、そのフランジをロボットに取り付ける。
【０００４】
また、特許文献１には、直接駆動モーター付きロータリージョイントが開示されている。この直接駆動モーター付きロータリージョイントでは、モーターには、そのモーターを筐体に取り付けるための固定フランジが一体化されている。
【先行技術文献】
【特許文献】
【０００５】
【特許文献１】特開平７−３５９４２号公報
【発明の概要】
【発明が解決しようとする課題】
【０００６】
特許文献１に記載の直接駆動モーター付きロータリージョイントのモーターをロボットのアームを回動させるためのモーターとして用いる場合、そのモーターをロボットに取り付けるには、まず、既に付いている固定フランジとは別のロボットへの取り付けに用いるフランジ（取付部）をモーターに取り付け、次に、そのフランジをロボットに取り付ける。このため、ロボットへの取り付けに用いるフランジの厚さの分、モーターが出力軸の軸方向に大型化し、また、そのフランジの重さ分、モーターが大重量化し、これにより、ロボットが大型化、大重量化する。
【０００７】
また、モーターをロボットに取り付ける際、モーターにフランジを取り付ける作業が必要であるので、ロボットの組み立て（製造）、メンテナンス等を行う場合、長い時間および多くの労力を必要とする。
【０００８】
また、モーターの出力軸を制動するブレーキをロボットに取り付ける場合は、モーターに対してブレーキを位置決めする必要があるが、その位置決めに、長い時間および多くの労力を必要とする。
【課題を解決するための手段】
【０００９】
本発明は、上述の課題の少なくとも一部を解決するためになされたものであり、以下の形態または適用例として実現することが可能である。
【００１０】
本発明のロボットは、回動軸周りに回動可能なアームと、
回動可能な出力軸を有するモーター本体と、前記モーター本体の外周部の少なくとも一部を覆うモーターカバーと、を有し、前記アームを回動させる駆動力を発生するモーターと、
前記モーターに取り付けられ、前記出力軸を制動することが可能なブレーキと、を備え、
前記モーターカバーは、前記モーターを前記アームに取り付ける取付部と、前記モーターに対して前記ブレーキを位置決めする位置決め部と、を有し、
前記取付部と、前記位置決め部とが一体的に形成されていることを特徴とする。
【００１１】
このような本発明のロボットによれば、モーターカバーの取付部と位置決め部とが一体的に形成（一体化）されているので、部品点数を削減することができ、構成を簡素化することができる。また、モーターの小型化、軽量化を図ることができ、これにより、ロボットの小型化、軽量化を図ることができる。
【００１２】
また、モーターカバーが位置決め部を有しているので、容易かつ迅速に、モーターに対してブレーキを位置決めすることができる。
【００１３】
また、モーターカバーと取付部とを別部材で構成した場合に比べて、モーターをロボットに取り付ける際、モーターに取付部を取り付ける作業が不要となるので、ロボットの組み立て（製造）、メンテナンス等を容易かつ迅速に行うことができる。また、部品管理の負担を軽減することができる。
【００１４】
本発明のロボットでは、前記取付部は、前記出力軸の軸方向と交差する方向において延在していることが好ましい。
これにより、容易に、モーターをアームに取り付けることができる。
【００１５】
本発明のロボットでは、前記位置決め部は、前記ブレーキと係合する凹部を有することが好ましい。
これにより、簡易な構成でモーターに対してブレーキを位置決めすることができる。
【００１６】
本発明のロボットでは、前記モーターカバーは、第１部分と、前記第１部分よりも前記ブレーキ側に配置された第２部分と、を有し、
前記出力軸の軸方向から見て、前記第２部分が前記第１部分より外側に突出していることが好ましい。
【００１７】
これにより、例えば、第２部分を取付部とした場合に、容易に、モーターをアームに取り付けることができる。
【００１８】
本発明のロボットでは、前記第２部分は前記取付部を有することが好ましい。
これにより、容易に、モーターをアームに取り付けることができる。
【００１９】
本発明のロボットでは、前記モーターに取り付けられ、前記モーターを駆動する駆動基板を有し、
前記モーターカバーに、前記駆動基板が取り付けられる駆動基板用取付部が設けられていることが好ましい。
【００２０】
これにより、駆動基板用取付部を用いて、容易に、駆動基板をモーターカバーに取り付けることができる。
【００２１】
本発明のロボットシステムは、本発明のロボットと、
前記ロボットの駆動を制御する制御装置と、を備えることを特徴とする。
【００２２】
このような本発明のロボットシステムによれば、モーターカバーの取付部と位置決め部とが一体的に形成（一体化）されているので、部品点数を削減することができ、構成を簡素化することができる。また、モーターの小型化、軽量化を図ることができ、これにより、ロボットの小型化、軽量化を図ることができる。
【００２３】
また、モーターカバーが位置決め部を有しているので、容易かつ迅速に、モーターに対してブレーキを位置決めすることができる。
【００２４】
また、モーターカバーと取付部とを別部材で構成した場合に比べて、モーターをロボットに取り付ける際、モーターに取付部を取り付ける作業が不要となるので、ロボットの組み立て（製造）、メンテナンス等を容易かつ迅速に行うことができる。また、部品管理の負担を軽減することができる。
【図面の簡単な説明】
【００２５】
【図１】本発明のロボットの第１実施形態を示す斜視図である。
【図２】図１に示すロボットの概略図である。
【図３】図１に示すロボットの主要部を示すブロック図である。
【図４】図１に示すロボットの基台および第１アームを示す斜視図である。
【図５】図１に示すロボットの基台を示す斜視図である。
【図６】図１に示すロボットの基台を示す斜視図である。
【図７】図１に示すロボットの基台を示す斜視図である。
【図８】図１に示すロボットの基台および第１アームを示す斜視図である。
【図９】図１に示すロボットの基台を示す断面図である。
【図１０】図１に示すロボットの基台の一部を切断してなる切断図である。
【図１１】図１に示すロボットの基台の一部を切断してなる切断図である。
【図１２】図１に示すロボットの基台および第１アームの一部を切断してなる切断図である。
【図１３】図１に示すロボットの基台を示す斜視図である。
【図１４】図１に示すロボットのモーターユニット（モーター、ブレーキ、プーリー等）を示す側面図である。
【図１５】図１に示すロボットのモーターユニット（モーター、ブレーキ、プーリー等）を示す部分断面図である。
【図１６】図１に示すロボットのモーターのモーターカバーを示す平面図である。
【図１７】図１に示すロボットのモーターユニット（モーター、ブレーキ、プーリー等）を示す側面図である。
【図１８】第２実施形態（ロボットシステム）を示す斜視図（ブロック図を含む）である。
【発明を実施するための形態】
【００２６】
以下、本発明のロボットおよびロボットシステムを添付図面に示す実施形態に基づいて詳細に説明する。
【００２７】
＜第１実施形態＞
図１は、本発明のロボットの第１実施形態を示す斜視図である。図２は、図１に示すロボットの概略図である。図３は、図１に示すロボットの主要部を示すブロック図である。図４は、図１に示すロボットの基台および第１アームを示す斜視図である。図５は、図１に示すロボットの基台を示す斜視図である。図６は、図１に示すロボットの基台を示す斜視図である。図７は、図１に示すロボットの基台を示す斜視図である。図８は、図１に示すロボットの基台および第１アームを示す斜視図である。図９は、図１に示すロボットの基台を示す断面図である。図１０は、図１に示すロボットの基台の一部を切断してなる切断図である。図１１は、図１に示すロボットの基台の一部を切断してなる切断図である。図１２は、図１に示すロボットの基台および第１アームの一部を切断してなる切断図である。図１３は、図１に示すロボットの基台を示す斜視図である。図１４は、図１に示すロボットのモーターユニット（モーター、ブレーキ、プーリー等）を示す側面図である。図１５は、図１に示すロボットのモーターユニット（モーター、ブレーキ、プーリー等）を示す部分断面図である。図１６は、図１に示すロボットのモーターのモーターカバーを示す平面図である。図１７は、図１に示すロボットのモーターユニット（モーター、ブレーキ、プーリー等）を示す側面図である。なお、図３には、代表的に、２つの制御基板のうちの１つを図示し、また、代表的に、２つの電源基板のうちの１つを図示している。また、図１５では、ブレーキは、模式的に図示されている。
【００２８】
また、以下では、説明の都合上、図１および図２中の上側を「上」または「上方」、下側を「下」または「下方」と言う。また、図１および図２中の基台側を「基端」または「上流」、その反対側を「先端」または「下流」と言う。また、図１および図２中の上下方向が鉛直方向である。
【００２９】
また、図１に示すように、互いに直交する３つの軸としてＸ軸、Ｙ軸およびＺ軸が図示されている。各軸を示す矢印の先端側を「＋（正）」、基端側を「−（負）」とする。また、Ｚ軸方向を「鉛直方向」とする。また、Ｘ軸とＹ軸を含むＸ−Ｙ平面を「水平面」とし、Ｘ−Ｙ平面内の方向（Ｘ−Ｙ平面に沿った方向）を「水平方向」とする。また、Ｘ軸に平行な方向を「Ｘ方向（Ｘ軸方向）」とも言い、Ｙ軸に平行な方向を「Ｙ方向（Ｙ軸方向）」とも言い、Ｚ軸に平行な方向を「Ｚ方向（Ｚ軸方向）」とも言う。
【００３０】
また、本明細書において、「水平」とは、完全に水平な場合のみならず、水平に対して±５°以内で傾斜している場合も含む。同様に、本明細書において、「鉛直」とは、完全に鉛直な場合のみならず、鉛直に対して±５°以内で傾斜している場合も含む。また、本明細書において、「平行」とは、２つの線（軸を含む）または面が、互いに完全な平行である場合のみならず、±５°以内で傾斜している場合も含む。また、本明細書において、「直交」とは、２つの線（軸を含む）または面が、互いに完全な直交である場合のみならず、±５°以内で傾斜している場合も含む。
【００３１】
図１に示すロボット１は、例えば、各種のワーク（対象物）の搬送、組立および検査等の各作業で用いることができる。
【００３２】
図１〜図３に示すように、ロボット１は、基台４と、基台４に変位可能に連結された（設けられた）ロボットアーム１０とを有するロボット本体２と、第１駆動機構４０１、第２駆動機構４０２、第３駆動機構４０３、第４駆動機構４０４、第５駆動機構４０５および第６駆動機構４０６と、制御基板８１と、電源基板８２と、駆動基板８３１、８３２、８３３、８３４、８３５、８３６とを備えている。
【００３３】
また、ロボットアーム１０は、第１アーム１１、第２アーム１２、第３アーム１３、第４アーム１４、第５アーム１５および第６アーム１６を備えている。また、第５アーム１５および第６アーム１６によりリストが構成され、第６アーム１６の先端には、例えば、ハンド等のエンドエフェクター（図示せず）を着脱可能に取り付ける（接続する）ことができ、そのエンドエフェクターで対象物（図示せず）を把持（保持）することができる。エンドエフェクターで把持（保持）する対象物としては、特に限定されず、例えば、電子部品、電子機器等、各種のものが挙げられる。
【００３４】
また、エンドエフェクターとしては、対象物を保持することが可能なものであれば、特に限定されず、対象物を把持する（掴む）ことが可能なハンド、対象物を吸着することで保持する吸着ヘッド（吸着ハンド）等が挙げられる。
【００３５】
なお、第６アーム１６とエンドエフェクターとの間には、図示しない力検出部（力検出装置）が設けられていてもよい。力検出部は、エンドエフェクターに加わる力（並進力、モーメントを含む）を検出する。また、力検出部としては、特に限定されないが、例えば、互いに直交する３軸のそれぞれの軸方向の力成分（並進力成分）と、その３軸のそれぞれの軸周りの力成分（回転力成分）とを検出可能な６軸力覚センサー等が用いられる。
【００３６】
ロボット１は、基台４と、第１アーム１１と、第２アーム１２と、第３アーム１３と、第４アーム１４と、第５アーム１５と、第６アーム１６とが基端側から先端側に向ってこの順に連結された単腕の６軸垂直多関節ロボットである。以下では、第１アーム１１、第２アーム１２、第３アーム１３、第４アーム１４、第５アーム１５、第６アーム１６をそれぞれ「アーム」とも言う。また、第１駆動機構４０１、第２駆動機構４０２、第３駆動機構４０３、第４駆動機構４０４、第５駆動機構４０５および第６駆動機構４０６をそれぞれ「駆動機構」とも言う。なお、アーム１１〜１６の長さは、それぞれ、特に限定されず、適宜設定可能である。
【００３７】
基台４と第１アーム１１とは、関節（ジョイント）１７１を介して連結されている。そして、第１アーム１１は、基台４に対し、鉛直方向と平行な第１回動軸Ｏ１を回動中心とし、その第１回動軸Ｏ１周りに回動可能となっている。また、第１回動軸Ｏ１は、基台４の設置面である床１０１の上面の法線と一致している。また、第１回動軸Ｏ１は、ロボット１の最も上流側にある回動軸である。この第１アーム１１は、モーター（第１モーター）４０１Ｍおよび減速機６（図８参照）を有する第１駆動機構４０１の駆動により回動する。モーター４０１Ｍは、第１アーム１１を回動させる駆動力を発生する。また、モーター４０１Ｍは、駆動基板８３１（第１駆動基板）のモータードライバー３０１（第１モータードライバー）を介して制御基板８１により制御される。なお、前記減速機６が省略されていてもよい。
【００３８】
また、ロボット１は、モーター４０１Ｍの出力軸４１０（第１アーム１１）の回動を制動するブレーキ２７を有している（図１４参照）。ブレーキ２７は、制御基板８１により制御される。このブレーキ２７により、モーター４０１Ｍの出力軸４１０が回動することを阻止し、第１アーム１１の姿勢を適確に保持することができる。
【００３９】
第１アーム１１と第２アーム１２とは、関節（ジョイント）１７２を介して連結されている。そして、第２アーム１２は、第１アーム１１に対し、水平方向と平行な第２回動軸Ｏ２を回動中心として回動可能となっている。また、第２アーム１２は、第１アーム１１の先端部において片持ち支持されている。これにより、ロボット１の小型化、軽量化を図ることができる。また、第２回動軸Ｏ２は、第１回動軸Ｏ１に直交する軸と平行である。この第２アーム１２は、モーター（第２モーター）４０２Ｍおよび減速機（図示せず）を有する第２駆動機構４０２の駆動により回動する。モーター４０２Ｍは、第２アーム１２を回動させる駆動力を発生する。また、モーター４０２Ｍは、駆動基板８３２（第２駆動基板）のモータードライバー３０２（第２モータードライバー）を介して制御基板８１により制御される。なお、前記減速機が省略されていてもよい。また、第２回動軸Ｏ２は、第１回動軸Ｏ１と直交していてもよい。
【００４０】
また、ロボット１は、モーター４０２Ｍの出力軸（第２アーム１２）の回動を制動するブレーキ（図示せず）を有している。ブレーキは、制御基板８１により制御される。このブレーキにより、モーター４０２Ｍの出力軸が回動することを阻止し、第２アーム１２の姿勢を適確に保持することができる。
【００４１】
第２アーム１２と第３アーム１３とは、関節（ジョイント）１７３を介して連結されている。そして、第３アーム１３は、第２アーム１２に対して水平方向と平行な第３回動軸Ｏ３を回動中心とし、その第３回動軸Ｏ３周りに回動可能となっている。また、第３アーム１３は、第２アーム１２の先端部において片持ち支持されている。これにより、ロボット１の小型化、軽量化を図ることができる。また、第３回動軸Ｏ３は、第２回動軸Ｏ２と平行である。この第３アーム１３は、モーター（第３モーター）４０３Ｍおよび減速機（図示せず）を有する第３駆動機構４０３の駆動により回動する。モーター４０３Ｍは、第３アーム１３を回動させる駆動力を発生する。また、モーター４０３Ｍは、駆動基板８３３（第３駆動基板）のモータードライバー３０３（第３モータードライバー）を介して制御基板８１により制御される。なお、前記減速機が省略されていてもよい。
【００４２】
また、ロボット１は、モーター４０３Ｍの出力軸（第３アーム１３）の回動を制動するブレーキ（図示せず）を有している。ブレーキは、制御基板８１により制御される。このブレーキにより、モーター４０３Ｍの出力軸が回動することを阻止し、第３アーム１３の姿勢を適確に保持することができる。
【００４３】
第３アーム１３と第４アーム１４とは、関節（ジョイント）１７４を介して連結されている。そして、第４アーム１４は、第３アーム１３に対し、第３アーム１３の中心軸方向と平行な第４回動軸Ｏ４を回動中心とし、その第４回動軸Ｏ４周りに回動可能となっている。第４回動軸Ｏ４は、第３回動軸Ｏ３と直交している。この第４アーム１４は、モーター（第４モーター）４０４Ｍおよび減速機（図示せず）を有する第４駆動機構４０４の駆動により回動する。モーター４０４Ｍは、第４アーム１４を回動させる駆動力を発生する。また、モーター４０４Ｍは、駆動基板８３４（第４駆動基板）のモータードライバー３０４（第４モータードライバー）を介して制御基板８１により制御される。なお、前記減速機が省略されていてもよい。また、第４回動軸Ｏ４は、第３回動軸Ｏ３に直交する軸と平行であってもよい。
【００４４】
また、ロボット１は、モーター４０４Ｍの出力軸（第４アーム１４）の回動を制動するブレーキ（図示せず）を有している。ブレーキは、制御基板８１により制御される。このブレーキにより、モーター４０４Ｍの出力軸が回動することを阻止し、第４アーム１４の姿勢を適確に保持することができる。
【００４５】
第４アーム１４と第５アーム１５とは、関節（ジョイント）１７５を介して連結されている。そして、第５アーム１５は、第４アーム１４に対して第５回動軸Ｏ５を回動中心とし、その第５回動軸Ｏ５周りに回動可能となっている。また、第５アーム１５は、第４アーム１４の先端部において片持ち支持されている。これにより、ロボット１の小型化、軽量化を図ることができる。また、第５回動軸Ｏ５は、第４回動軸Ｏ４と直交している。この第５アーム１５は、モーター（第５モーター）４０５Ｍおよび減速機（図示せず）を有する第５駆動機構４０５の駆動により回動する。モーター４０５Ｍは、第５アーム１５を回動させる駆動力を発生する。また、モーター４０５Ｍは、駆動基板８３５（第５駆動基板）のモータードライバー３０５（第５モータードライバー）を介して制御基板８１により制御される。なお、前記減速機が省略されていてもよい。また、第５回動軸Ｏ５は、第４回動軸Ｏ４に直交する軸と平行であってもよい。
【００４６】
また、ロボット１は、モーター４０５Ｍの出力軸（第５アーム１５）の回動を制動するブレーキ（図示せず）を有している。ブレーキは、制御基板８１により制御される。このブレーキにより、モーター４０５Ｍの出力軸が回動することを阻止し、第５アーム１５の姿勢を適確に保持することができる。
【００４７】
第５アーム１５と第６アーム１６とは、関節（ジョイント）１７６を介して連結されている。そして、第６アーム１６は、第５アーム１５に対して第６回動軸Ｏ６を回動中心とし、その第６回動軸Ｏ６周りに回動可能となっている。また、第６回動軸Ｏ６は、第５回動軸Ｏ５と直交している。この第６アーム１６は、モーター（第６モーター）４０６Ｍおよび減速機（図示せず）を有する第６駆動機構４０６の駆動により回動する。モーター４０６Ｍは、第６アーム１６を回動させる駆動力を発生する。また、モーター４０６Ｍは、駆動基板８３６（第６駆動基板）のモータードライバー３０６（第６モータードライバー）を介して制御基板８１により制御される。なお、前記減速機が省略されていてもよい。また、第６回動軸Ｏ６は、第５回動軸Ｏ５に直交する軸と平行であってもよい。
【００４８】
また、ロボット１は、モーター４０６Ｍの出力軸（第６アーム１６）の回動を制動するブレーキ（図示せず）を有している。ブレーキは、制御基板８１により制御される。このブレーキにより、モーター４０６Ｍの出力軸が回動することを阻止し、第６アーム１６の姿勢を適確に保持することができる。
【００４９】
駆動機構４０１〜４０６には、それぞれのモーターまたは減速機に、第１角度センサー４１１、第２角度センサー４１２、第３角度センサー４１３、第４角度センサー４１４、第５角度センサー４１５、第６角度センサー４１６が設けられている。以下では、第１角度センサー４１１、第２角度センサー４１２、第３角度センサー４１３、第４角度センサー４１４、第５角度センサー４１５、第６角度センサー４１６をそれぞれ「角度センサー」とも言う。これらの角度センサーとしては、特に限定されず、例えば、ロータリーエンコーダー等のエンコーダー等を用いることができる。これらの角度センサー４１１〜４１６により、それぞれ、駆動機構４０１〜４０６のモーターまたは減速機の出力軸（回転軸）の回転（回動）角度を検出する。
【００５０】
また、駆動機構４０１〜４０６のモーターとしては、それぞれ、特に限定されないが、例えば、ＡＣサーボモーター、ＤＣサーボモーター等のサーボモーターが好ましい。
【００５１】
また、駆動機構４０１〜４０６の減速機としては、それぞれ、特に限定されず、例えば、複数の歯車で構成された所謂「遊星ギア型」の減速機や、ハーモニックドライブ（「ハーモニックドライブ」は登録商標）と呼ばれる波動減速機（波動歯車装置）等が挙げられ、これらのうちでは、波動減速機が好ましい。
【００５２】
なお、モーター４０１Ｍ〜４０６Ｍを制動する６つのブレーキのうち、１つ以上、５つ以下の範囲内で、ブレーキを省略してもよい。
【００５３】
また、駆動機構４０１〜４０６、角度センサー４１１〜４１６、各ブレーキは、それぞれ、制御基板８１と電気的に接続されている。
【００５４】
そして、制御基板８１は、アーム１１〜１６をそれぞれ独立して作動させることができる、すなわち、モータードライバー３０１〜３０６を介して、駆動機構４０１〜４０６をそれぞれ独立して制御することができる。この場合、制御基板８１は、角度センサー４１１〜４１６、力検出部（図示せず）により検出を行い、その検出結果（検出情報）に基づいて、駆動機構４０１〜４０６の駆動、例えば、角速度や回転角度等をそれぞれ制御する。この制御プログラムは、制御基板８１のＲＯＭ等に予め記憶されている。
【００５５】
本実施形態では、基台４は、ロボット１の鉛直方向の最も下方に位置し、設置スペースの床１０１等に固定（設置）される部分である。この固定方法としては、特に限定されず、例えば、複数本のボルトによる固定方法等が挙げられる。また、基台４が固定されている部分の床１０１は、水平面と平行な平面（面）であるが、これに限定されるものではない。
【００５６】
このようなロボット１の制御基板８１は、作業において、角度センサー４１１〜４１６、力検出部（図示せず）の出力、すなわち、角度センサー４１１〜４１６の検出結果（検出された角度）、力検出部の検出結果（検出された力）等に基づいて、ロボット１の駆動（動作）を位置制御、力制御等で制御する。
【００５７】
位置制御とは、ロボット１のエンドエフェクターの位置や姿勢に関する情報に基づいて、エンドエフェクターを目標の位置に目標の姿勢になるように移動させるロボット１の動作の制御である。前記エンドエフェクターに代えて、ロボットアーム１０の先端部やエンドエフェクターが把持した対象物等でもよい。また、エンドエフェクターの位置や姿勢に関する情報は、角度センサー４１１〜４１６の検出結果等に基づいて求めることが可能である。
【００５８】
また、力制御とは、力検出部の検出結果に基づいて、エンドエフェクターの位置や姿勢を変更したり、また、エンドエフェクターを押したり、引っ張ったり、回転させる等のロボット１の動作の制御である。力制御には、例えば、インピーダンス制御と、フォーストリガー制御とが含まれている。
【００５９】
フォーストリガー制御では、力検出部により検出を行い、その力検出部により所定の力を検出するまでロボットアーム１０を移動（姿勢の変更も含む）、すなわち、動作させる。
【００６０】
インピーダンス制御は、倣い制御を含む。まず、簡単に説明すると、インピーダンス制御では、ロボットアーム１０の先端部に加わる力を可能な限り所定の力に維持、すなわち、力検出部により検出される所定方向の力を可能な限り目標値（０も含む）に維持するようにロボットアーム１０（ロボット１）の動作を制御する。これにより、例えば、ロボットアーム１０に対してインピーダンス制御を行うと、ロボットアーム１０は、エンドエフェクターで把持した対象物（図示せず）が他の対象物（図示せず）に対し、前記所定方向について倣う動作を行う。
以上、ロボット１について簡単に説明した。以下、詳細に説明する。
【００６１】
図４〜図８に示すように、基台４は、箱状をなし、内部に、物を収納（配置）することが可能な収納空間４２を有している。この場合、基台４の内部空間（内部）の全体を収納空間４２と捉えてもよく、また、一部を収納空間４２と捉えてもよい。この基台４は、本体部４３と、蓋体４４とを備えており、蓋体４４は、本体部４３の後端面４３１（Ｙ方向の負側の面）に対して着脱可能に取り付けられている。本実施形態では、蓋体４４は、ネジ留めにより、本体部４３に着脱可能に取り付けられている。なお、蓋体４４を本体部４３に取り付ける方法は、ネジ留めに限定されず、例えば、嵌合等が挙げられる。
【００６２】
また、ロボット１は、ロボット本体２の駆動を制御する制御基板８１と、制御基板８１に電力を供給する電源基板８２（図１０参照）とを備えている。
【００６３】
制御基板８１の数は、特に限定されず、諸条件に応じて適宜設定されるものであるが、本実施形態では、２つであり、その２つの制御基板８１は、所定の間隔を隔てて、Ｘ方向から見て重なるように配置され、互いに電気的に接続されている。また、各制御基板８１は、同一の構成でもよく、また、異なる構成でもよいが、本実施形態では、互いに異なる機能を有している。以下の説明では、代表的に、２つの制御基板８１のうちの一方について説明する。なお、制御基板８１の数は、１つでもよく、また、３つ以上でもよい。
【００６４】
また、電源基板８２の数は、特に限定されず、諸条件に応じて適宜設定されるものであるが、本実施形態では、２つであり、その２つの電源基板８２は、所定の間隔を隔ててＺ方向に並んでおり、互いに電気的に接続されている。また、各電源基板８２は、同一の構成でもよく、また、異なる構成でもよい。以下の説明では、代表的に、２つの電源基板８２のうちの一方について説明する。なお、電源基板８２の数は、１つでもよく、また、３つ以上でもよい。
【００６５】
制御基板８１は、配線が設けられた基板と、その基板に設けられ、プロセッサーの１例であるＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、プログラムが記憶されたＲＯＭ（Ｒｅａｄ  Ｏｎｌｙ  Ｍｅｍｏｒｙ）等を備えている。本実施形態では、ＣＰＵにより各種のプログラムを実行することにより、ロボット本体２の駆動を制御する制御部の機能が達成され、また、ＲＡＭ、ＲＯＭにより、各種の情報（データやプログラム等を含む）を記憶する記憶部の機能が達成される。
【００６６】
また、電源基板８２は、配線が設けられた基板と、その基板に設けられ、外部から供給される電圧（電力）を所定の値に変換（例えば、降圧）する回路等を備えている。
【００６７】
また、駆動基板８３１は、制御基板８１の指令に基づいてモーター４０１Ｍを駆動する回路基板であり、配線が設けられた基板と、その基板に設けられたモータードライバー３０１等を備えている。
【００６８】
また、駆動基板８３２は、制御基板８１の指令に基づいてモーター４０２Ｍを駆動する回路基板であり、配線が設けられた基板と、その基板に設けられたモータードライバー３０２等を備えている。
【００６９】
また、駆動基板８３３は、制御基板８１の指令に基づいてモーター４０３Ｍを駆動する回路基板であり、配線が設けられた基板と、その基板に設けられたモータードライバー３０３等を備えている。
【００７０】
また、駆動基板８３４は、制御基板８１の指令に基づいてモーター４０４Ｍを駆動する回路基板であり、配線が設けられた基板と、その基板に設けられたモータードライバー３０４等を備えている。
【００７１】
また、駆動基板８３５は、制御基板８１の指令に基づいてモーター４０５Ｍを駆動する回路基板であり、配線が設けられた基板と、その基板に設けられたモータードライバー３０５等を備えている。
【００７２】
また、駆動基板８３６は、制御基板８１の指令に基づいてモーター４０６Ｍを駆動する回路基板であり、配線が設けられた基板と、その基板に設けられたモータードライバー３０６等を備えている。
【００７３】
また、図１０および図１１に示すように、制御基板８１と電源基板８２とは、配線９２１（第２配線）により電気的に接続（以下、単に「接続」とも言う）され、配線９２２（第２配線）により接続されている。配線９２１は、外部から制御基板８１に入力された電圧（電力）を制御基板８１から電源基板８２に送出するのに用いられる電源線である。また、配線９２２は、電源基板８２で変換された電圧（例えば、降圧された電圧）を電源基板８２から制御基板８１に送出するのに用いられる電源線である。配線９２１、９２２は、それぞれ、本実施形態では、例えば、絶縁性を有するチューブを備えるケーブルとして設けられる。
【００７４】
また、図１２に示すように、制御基板８１と駆動基板８３１とは、配線９１（第１配線）により接続されている。配線９１は、モーター４０１Ｍを駆動する電圧（指令）を制御基板８１から駆動基板８３１に送出するのに用いられる電源線である。また、制御基板８１と、各駆動基板８３２〜８３６のそれぞれとは、同様に、配線（図示せず）により接続されている。配線９１および前記駆動基板８３２〜８３６に接続される配線は、それぞれ、本実施形態では、例えば、絶縁性を有するチューブを備えるケーブルとして設けられる。
【００７５】
また、図４〜図６に示すように、ロボット１は、制御基板８１および電源基板８２をそれぞれ着脱可能に支持する支持部材５を備えている。支持部材５は、基台４に対して着脱可能に収納空間４２に設けられている。これにより、制御基板８１および電源基板８２は、それぞれ、収納空間４２に設けられる。また、本実施形態では、支持部材５は、ネジ留めにより、基台４に着脱可能に取り付けられている。なお、支持部材５を基台４に取り付ける方法は、ネジ留めに限定されず、例えば、嵌合等が挙げられる。
【００７６】
このように、ロボット１と、制御基板８１および電源基板８２（制御装置）とが一体化されているので、ロボット１の小型化（ロボットシステム全体の小型化）を図ることができる。また、支持部材５が基台４に対して着脱可能であるので、ロボット１の組み立て（製造）、制御基板８１および電源基板８２のメンテナンス等を容易かつ迅速に行うことができる。なお、支持部材５は、他の構造を有していてもよく、また、基台４から取り外すことができなくてもよい。
【００７７】
また、支持部材５の全体形状は、板状をなしている。すなわち、支持部材５は、板状をなす主基板５１（板状部）を有している。主基板５１の形状は、特に限定されないが、本実施形態では、主基板５１の平面視で、長方形（四角形）である。なお、主基板５１の形状としては、四角形の他、例えば、三角形、五角形、六角形等の多角形、円、楕円等が挙げられる。
【００７８】
また、主基板５１の後部（Ｙ方向の負側）には、後基板５２が設けられている。また、後基板５２は、主基板５１に対して、直角になるように配置されている。また、本実施形態では、主基板５１および後基板５２は、１つの基板を折り曲げて形成しているが、これに限らず、例えば、別部材で形成してもよい。
【００７９】
後基板５２は、基台４にネジ留めされる部材であり、後基板５２には、２つの貫通孔５２１が形成されている。
【００８０】
また、基台４の本体部４３の収納空間４２内の一方（Ｘ方向の正側）の側壁４１には、２つのリブ４５が形成されている（図７参照）。各リブ４５は、それぞれ、Ｙ方向に延在している。また、各リブ４５は、所定の間隔を隔ててＺ方向に並んでいる。
【００８１】
また、各リブ４５には、それぞれ、Ｙ方向の負側の端面に雌ネジ４５１が形成されている。支持部材５は、２つの雄ネジ（図示せず）が、それぞれ、対応する貫通孔５２１を挿通し、対応するリブ４５の雌ネジ４５１に螺合することで、基台４に対して着脱可能に取り付けられる。なお、支持部材５は、本体部４３に限らず、例えば、蓋体４４に着脱可能に取り付けられるようになっていてもよい。
【００８２】
また、支持部材５は、主基板５１が第１回動軸Ｏ１の軸方向（鉛直方向）に沿うように配置される。本実施形態では、主基板５１とＺ軸（鉛直線）とが平行、具体的には、主基板５１の短辺５１２とＺ軸とが平行で、長辺５１１とＹ軸とが平行になるように配置される。これにより、制御基板８１および電源基板８２を鉛直方向に沿うように配置することができ、これによって、制御基板８１および電源基板８２に粉塵等が溜まることを抑制することができる。
【００８３】
なお、支持部材５は、他の姿勢、例えば、主基板５１が鉛直方向に対して傾斜した姿勢、主基板５１とＸ−Ｙ平面（水平面）とが平行である姿勢等で配置されるようになっていてもよい。
【００８４】
また、図７および図９に示すように、基台４は、収納空間４２に取り付けられた（設けられた）支持部材５の姿勢を規制する姿勢規制部４７を有している。姿勢規制部４７は、本実施形態では、本体部４３の収納空間４２内の前壁４６に形成されたリブで構成されている。
【００８５】
この姿勢規制部４７は、収納空間４２の上部（Ｚ方向の正側）に配置され、Ｘ方向に延在している。また、姿勢規制部４７は、支持部材５の主基板５１の先端部が挿入される溝４７１を有している。また、溝４７１は、Ｚ方向に延在し、Ｙ方向の負側およびＺ方向の負側に開放している。したがって、姿勢規制部４７は、Ｘ方向の正側および負側と、Ｙ方向の正側と、Ｚ方向の正側から、支持部材５の主基板５１の先端部を支持し、これにより、支持部材５の姿勢を規制する。これにより、支持部材５の姿勢を安定させることができる。また、支持部材５を基台４に取り付ける際、支持部材５が溝４７１に挿入されることにより、支持部材５の姿勢が安定し、支持部材５の取り付け作業を容易かつ迅速に行うことができる。なお、溝４７１は、無底、すなわち、Ｙ方向の正側に開放していてもよく、また、Ｚ方向の正側に開放していてもよい。
【００８６】
また、支持部材５の構成材料としては、特に限定されないが、金属材料（合金を含む）が好ましく、例えば、アルミニウム、アルミニウム合金等の熱伝導率の高い材料を用いることがより好ましい。熱伝導率の高い材料を用いることにより、制御基板８１および電源基板８２で発生した熱を支持部材５から基台４に効率良く逃がすことができる。
【００８７】
また、本実施形態では、制御基板８１および電源基板８２は、それぞれ、ネジ留めにより、支持部材５の主基板５１に着脱可能に取り付けられている。また、主基板５１の一方の面に、制御基板８１が取り付けられ、他方の面に、電源基板８２が取り付けられている。なお、制御基板８１および電源基板８２を支持部材５に取り付ける方法は、それぞれ、ネジ留めに限定されない。
【００８８】
また、支持部材５は、制御基板８１を図４、図９に示す第１位置（制御基板８１の各貫通孔８１１と、支持部材５の第１雌ネジ群５１３０の対応する各雌ネジ５１３とが一致する位置）と、第１位置とは異なる第２位置（制御基板８１の各貫通孔８１１と、支持部材５の第２雌ネジ群５１４０の対応する各雌ネジ５１４とが一致する位置）とにおいて支持可能に構成されている。すなわち、支持部材５における制御基板８１の位置（支持位置）は、第１位置と、第２位置とに変更可能である。本実施形態では、第１位置は、第２位置よりもＹ方向の負側に位置している。これより、目的や用途等に応じて、制御基板８１を第１位置と第２位置とのいずれか一方に配置すること（基台４における位置を変更すること）ができる。また、基台４における制御基板８１の位置を変更する場合に、基台４に対する支持部材５の位置を変更するのに比べて、支持部材５に対する制御基板８１の位置を変更するため、容易かつ迅速に作業を行うことができる。
【００８９】
具体的には、図５に示すように、支持部材５の主基板５１には、複数の雌ネジ５１３で構成された第１雌ネジ群５１３０と、複数の雌ネジ５１４で構成された第２雌ネジ群５１４０とが形成されている。
【００９０】
第１雌ネジ群５１３０における各雌ネジ５１３の配置と、第２雌ネジ群５１４０における各雌ネジ５１４の配置とは、同じであり、第１雌ネジ群５１３０は、第２雌ネジ群５１４０よりもＹ方向の負側に位置している。
【００９１】
一方、図４および図９に示すように、制御基板８１には、各雌ネジ５１３の位置と、各雌ネジ５１４の位置との一方に選択的に配置させることが可能な複数の貫通孔８１１で構成された貫通孔群８１１０が形成されている。
【００９２】
制御基板８１を支持部材５の第１位置に取り付ける場合は、制御基板８１の各貫通孔８１１と、支持部材５の第１雌ネジ群５１３０の対応する各雌ネジ５１３とを一致させ、複数の雄ネジ（図示せず）を、それぞれ、対応する貫通孔８１１に挿入し、対応する雌ネジ５１３に螺合させる。制御基板８１が第１位置に配置された場合は、制御基板８１のコネクターは、基台４の蓋体４４の開口から外部に突出する。
【００９３】
また、制御基板８１を支持部材５の第２位置に取り付ける場合は、制御基板８１の各貫通孔８１１と、支持部材５の第２雌ネジ群５１４０の対応する各雌ネジ５１４とを一致させ、複数の雄ネジ（図示せず）を、それぞれ、対応する貫通孔８１１に挿入し、対応する雌ネジ５１４に螺合させる。制御基板８１が第２位置に配置された場合は、制御基板８１のコネクターは、基台４の収納空間４２に配置される。
【００９４】
ここで、具体的な使用例について説明すると、制御基板８１を第１位置に配置する場合は、ロボット１は、通常に使用される。
【００９５】
また、制御基板８１を第２位置に配置する場合は、制御基板８１のコネクターに配線を介して防水コネクターを電気的に接続し、その防水コネクターを基台４の蓋体４４の開口から外部に突出させる。また、基台４の本体部４３と蓋体４４との間等の必要な箇所に封止部材（図示せず）を設け、収納空間４２を液密に封止する。また、ロボット１の他の必要な箇所にも封止部材（図示せず）を設け、対応する部分を液密に封止する。これにより、例えば、防水機能を有するロボット１を実現することができる。
【００９６】
なお、支持部材５に対する制御基板８１の位置は、第１位置および第２位置に限らず、例えば、３つ以上の位置に変更可能であってもよい。また、支持部材５に対する制御基板８１の位置は、変更不能であってもよい。
【００９７】
また、前述したように、第１アーム１１は、基台４に対し、第１回動軸Ｏ１を回動中心とし、その第１回動軸Ｏ１周りに回動可能となっている。
【００９８】
図８に示すように、この第１アーム１１を回動させる第１駆動機構４０１は、モーター４０１Ｍと、減速機６と、プーリー７２（駆動プーリー）と、プーリー７３（従動プーリー）と、ベルト７１（タイミングベルト）とを有している。
【００９９】
モーターユニット７（図１４参照）については後で詳述するが、プーリー７２は、モーター４０１Ｍの出力軸４１０（回転軸）（図１５参照）に連結（接続）されている。また、プーリー７３は、減速機６の入力軸に連結されている。また、ベルト７１は、無端ベルトであり、プーリー７２とプーリー７３とに掛け渡されている。また、減速機６の出力軸は、基台４に連結されている。そして、モーター４０１Ｍの駆動力（回転）は、プーリー７２、７３およびベルト７１により、減速機６に伝達され、減速機６により、回転速度が減速され、基台４に伝達される。
【０１００】
このように、第１駆動機構４０１は、モーター４０１Ｍの駆動力を伝達するベルト７１を有しているので、基台４と第１アーム１１とを連結する関節から離間した位置にモーター４０１Ｍを配置することができ、これによって、モーター４０１Ｍを第１アーム１１の所望の位置に配置することができる。
【０１０１】
また、第１駆動機構４０１は、第１アーム１１の内部に設けられている。具体的には、第１駆動機構４０１の第１モーター４０１Ｍ、ベルト７１、プーリー７２およびプーリー７３と、減速機６の一部とが、第１アーム１１の内部に設けられている。これにより、熱源となる第１駆動機構４０１が基台４の収納空間４２に設けられている場合に比べて、収納空間４２の温度を低下させることができ、これによって、制御基板８１の熱による影響を低減させることができる。なお、第１駆動機構４０１のうち、第１モーター４０１Ｍが第１アーム１１に設けられていればよく、ベルト７１、プーリー７２、７３および減速機６については、それぞれ、全部または一部が、例えば、基台４の収納空間４２に設けられていてもよい。
【０１０２】
また、駆動基板８３１は、第１アーム１１の内部に設けられている。また、本実施形態では、駆動基板８３１は、モーター４０１Ｍのモーターカバー７１０（図１４参照）に取り付けられている。これにより、熱源となる駆動基板８３１が基台４の収納空間４２に設けられている場合に比べて、収納空間４２の温度を低下させることができ、これによって、制御基板８１の熱による影響を低減させることができる。
【０１０３】
また、第１モーター４０１Ｍに供給される電圧は、特に限定されないが、１Ｖ以上、１００Ｖ以下であることが好ましく、１０Ｖ以上、１００Ｖ以下であることがより好ましく、５０Ｖ以上、６０Ｖ以下であることがさらに好ましい。これにより、第１モーター４０１Ｍおよび電源基板８２を小型化することができ、これによって、ロボット１の小型化を図ることができる。
【０１０４】
また、図１に示すように、駆動機構４０２〜４０６と、駆動基板８３２〜８３６（図３参照）とは、それぞれ、ロボットアーム１０の所定のアームの内部に設けられている。これにより、熱源となる駆動基板８３２〜８３６が基台４の収納空間４２に設けられている場合に比べて、収納空間４２の温度を低下させることができ、これによって、制御基板８１の熱による影響を低減させることができる。本実施形態では、第２モーター４０２Ｍ、第３モーター４０３Ｍは、第２アーム１２の内部に設けられている。また、第４モーター４０４Ｍは、第３アーム１３の内部に設けられている。また、第５モーター４０５Ｍ、第６モーター４０６Ｍは、第４アーム１４の内部に設けられている。なお、第２モーター４０２Ｍ〜第６モーター４０６Ｍは、それぞれ、他の位置に配置されていてもよい。
【０１０５】
また、モーター４０２Ｍ〜４０６Ｍに供給される電圧は、それぞれ、特に限定されないが、１Ｖ以上、１００Ｖ以下であることが好ましく、１０Ｖ以上、１００Ｖ以下であることがより好ましく、５０Ｖ以上、６０Ｖ以下であることがさらに好ましい。これにより、モーター４０２Ｍ〜４０６Ｍ、電源基板８２を小型化することができ、これによって、ロボット１の小型化を図ることができる。
【０１０６】
また、基台４には、ファン等の冷却装置は設けられていない。これにより、部品点数を削減することができ、構成を簡素化することができ、また、基台４を小型化することができ、これによって、ロボット１の小型化を図ることができる。なお、ロボット１では、前述したように、第１駆動機構４０１、駆動基板８３１〜８３６を収納空間４２に設けないことにより、収納空間４２の温度を低下させることができるので、基台４にファン等の冷却装置を設けなくても問題はない。
【０１０７】
なお、第１モーター４０１Ｍ（第１駆動機構４０１）は、第１アーム１１に限らず、例えば、基台４に設けられていてもよい。また、駆動基板８３１は、第１アーム１１に限らず、例えば、基台４に設けられていてもよい。また、駆動基板８３２〜８３６の一部または全部は、ロボットアーム１０に限らず、例えば、基台４に設けられていてもよい。また、基台４に、ファン等の冷却装置が設けられていてもよい。
【０１０８】
また、図１２に示すように、配線９１には、遊びの無い長さに対して、基台４に設けられた状態の支持部材５と、基台４から取り出された状態の支持部材５との距離Ｌ１（図１３参照）よりも長い余長が設けられている。この配線９１の余長は、特に限定されず、諸条件に応じて適宜設定されるものであるが、距離Ｌ１の１．２倍以上であることが好ましく、距離Ｌ１の１．５倍以上であることがより好ましく、距離Ｌ１の２倍以上、３倍以下であることがさらに好ましい。これにより、基台４に対して支持部材５を容易かつ迅速に着脱することができる。ここで、支持部材５が基台４から取り出された状態とは、図１３に示すように、支持部材５が基台４の本体部４３の後端面４３１に取り付けられていた蓋体４４の位置に位置している状態を言う。
【０１０９】
また、図１０および図１１に示すように、配線９２１、９２２には、それぞれ、遊びの無い長さに対して、第１位置と第２位置との距離Ｌ２（雌ネジ５１３とその雌ネジ５１３に対応する雌ネジ５１４との中心間距離）（図１３参照）よりも長い余長が設けられている。この配線９２１、９２２の余長は、それぞれ、特に限定されず、諸条件に応じて適宜設定されるものであるが、距離Ｌ２の１．２倍以上であることが好ましく、距離Ｌ２の１．５倍以上であることがより好ましく、距離Ｌ２の２倍以上、３倍以下であることがさらに好ましい。これにより、容易かつ迅速に、制御基板８１の位置を第１位置と第２位置との一方から他方に変更することができる。なお、配線９２１の余長と配線９２２の余長とは、同一でもよく、また、異なっていてもよい。
【０１１０】
次に、第１駆動機構４０１、第２駆動機構４０２、第３駆動機構４０３、第４駆動機構４０４、第５駆動機構４０５および第６駆動機構４０６がそれぞれ有するモーターユニットについて説明する。
【０１１１】
なお、各モーターユニットは同様であるので、以下では、代表的に、第１駆動機構４０１が有するモーターユニットについて説明する。
【０１１２】
第１駆動機構４０１は、図１４および図１５に示すモーターユニット７を有している。図１４、図１５および図１７に示すように、モーターユニット７は、回動可能な出力軸４１０を有するモーター４０１Ｍと、プーリー７２（動力伝達部）と、ブレーキ２７（制動機構）と、駆動基板８３１とを備えている。駆動基板８３１は、モーター４０１Ｍのモーターカバー７１０に取り付けられている。なお、駆動基板８３１は、モーターユニット７の構成要素から除外してもよい。
【０１１３】
また、モーター４０１Ｍは、モーター本体７０と、モーター本体７０の外周部の少なくとも一部を覆うモーターカバー７１０（第１モーターカバー）およびモーターカバー７２０（第２モーターカバー）とを有し、アーム１１を回動させる駆動力を発生する。また、モーター本体７０は、ステーター７６０と、ステーター７６０の内周部に配置され、出力軸４１０を有するローター７７０とを有している。
【０１１４】
また、プーリー７２は、図示しない支持部材（ハブ）を介して、モーター４０１Ｍの出力軸４１０に連結（接続）されている。すなわち、支持部材は、モーター４０１Ｍの出力軸４１０に着脱可能に連結（固定）されている。また、プーリー７２は、支持部材の外周部に着脱可能に連結（固定）されている。
【０１１５】
また、本実施形態では、プーリー７２と支持部材とは、別部材で構成（形成）されているが、プーリー７２と支持部材（ハブ）とが一体的に形成されていることが好ましい。これにより、部品点数を削減することができ、構成を簡素化することができる。また、ロボット１の組み立て、メンテナンス等を容易かつ迅速に行うことができる。また、部品管理の負担を軽減することができる。
【０１１６】
また、モーターカバー７１０は、環状（枠状）をなし、モーター本体７０の出力軸４１０側の端部に配置されている。また、モーターカバー７２０は、環状をなし、モーターカバー７１０から出力軸４１０の軸方向に離間し、モーター本体７０の出力軸４１０と反対側の端部に配置されている。また、モーターカバー７１０とモーターカバー７２０とは、互いに複数の雄ネジ７３０でネジ留め（固定）されており、そのモーターカバー７１０とモーターカバー７２０とで、出力軸４１０の軸方向からステーター７６０を挟持している。
【０１１７】
また、モーターカバー７１０とモーターカバー７２０との間には、図１４、図１５および図１７では、モーターカバーが省略されているが、モーターカバー７１０とモーターカバー７２０との間に、図示しないモーターカバー（第３モーターカバー）を設けてもよい。また、モーターカバー７１０は、モーター本体７０の外周部の全部（モーター本体７０の全部）を覆っていてもよい。
【０１１８】
また、モーターカバー７１０、モーターカバー７２０の形状は、それぞれ、特に限定されないが、本実施形態では、モーターカバー７１０の形状は、モーターカバー７１０の平面視で、長方形（四角形）である（図１６参照）。また、モーターカバー７１０の寸法は、特に限定されないが、本実施形態では、モーターカバー７１０の長辺方向（長辺）の長さは、ブレーキ２７の外径（直径）よりも長く設定され、短辺方向（短辺）の長さは、ブレーキ２７の外径よりも短く設定されている。なお、モーターカバー７１０の形状としては、四角形の他、例えば、三角形、五角形、六角形等の多角形、円、楕円等が挙げられる。
【０１１９】
また、ブレーキ２７は、モーター４０１Ｍとプーリー７２との間に配置され、モーター４０１Ｍに取り付けられている。この場合、ブレーキ２７は、モーターカバー７１０に連結（固定）されている。
【０１２０】
また、ブレーキ２７としては、特に限定されないが、本実施形態では、電磁ブレーキを採用している。また、電磁ブレーキとしては、例えば、無励磁動作型、励磁動作型等が挙げられ、本実施形態では、無励磁動作型を採用している。なお、励磁動作型を採用してもよい。また、ブレーキ２７の他の方式としては、例えば、油圧式、空圧式、機械式等が挙げられる。
【０１２１】
また、モーターカバー７１０は、第１部分７１１と、第１部分７１１よりもブレーキ２７側に配置された第２部分７１２とを有している。また、出力軸４１０の軸方向から見て、第２部分７１２は、第１部分７１１より外側に突出している。
【０１２２】
この第２部分７１２は、モーター４０１Ｍをアーム１１に取り付ける取付部７１３と、モーター４０１Ｍに対してブレーキ２７を位置決めする位置決め部７１４とを有している。取付部７１３と位置決め部７１４とは、一体的に形成されている。
【０１２３】
ここで、「一体的に形成」とは、２つの部材（部位）が、例えば、接着、溶着、ろう接、圧接等により接合されているのではなく、２つの部位が連続して形成されていることである。例えば、母材から削り出されたり、鋳造により一括して形成すること等が典型例である。
【０１２４】
また、第１部分７１１と第２部分７１２とは、一体的に形成されている。すなわち、モーターカバー７１０は、１部材で構成されている。これにより、部品点数を削減することができ、構成を簡素化することができる。また、ロボット１の組み立て、メンテナンス等を容易かつ迅速に行うことができる。また、部品管理の負担を軽減することができる。
【０１２５】
また、取付部７１３は、第２部分７１２のうちの第１部分７１１より外側に突出した部分であり、出力軸４１０の軸方向と直交（交差）する方向において延在している。これにより、容易に、モーターユニット７をアーム１１に取り付けることができる。また、本実施形態では、取付部７１３の４隅に、貫通孔７１５が形成されており、モーターユニット７をロボット１に取り付ける際は、４つの雄ネジ（図示せず）を４つの貫通孔７１５に挿通させ、ロボット１にネジ留めする。
【０１２６】
また、位置決め部７１４は、本実施形態では、第２部分７１２のうちの中央部に形成された凹部７１６を有している。これにより、簡易な構成でモーター４０１Ｍに対してブレーキ２７を位置決めすることができる。凹部７１６の形状は、モーターカバー７１０の平面視で、ブレーキ２７と同様の形状、本実施形態では、円形をなし、また、凹部７１６の寸法は、ブレーキ２７よりも僅かに小さく設定されている。ブレーキ２７は、凹部７１６に挿入され、ブレーキ２７と凹部７１６とが係合することで、モーター４０１Ｍに対して位置決めされる。より詳細には、凹部７１６内の側面にブレーキ２７の外周部が当接することで、ブレーキ２７は、モーター４０１Ｍに対し、出力軸４１０に直交する方向に位置決めされる。また、凹部７１６内の底面にブレーキ２７の底面が当接することで、ブレーキ２７は、モーター４０１Ｍに対し、出力軸４１０の軸方向に位置決めされる。
【０１２７】
また、本実施形態では、第２部分７１２の図１６中の右側および左側に、それぞれ、出力軸４１０に直交する方向に延在する雌ネジ７１７が形成されている。ブレーキ２７をモーター４０１Ｍに取り付ける際は、２つの雄ネジ（図示せず）を２つの雌ネジ７１７に螺合させて押し進め、各雄ネジでブレーキ２７を挟持する。なお、図１４および図１５では、前記雄ネジの図示は省略されている。
【０１２８】
また、図１７に示すように、第２部分７１２には、駆動基板８３１が取り付けられる駆動基板用取付部７４０が取り付けられている（設けられている）。本実施形態では、駆動基板用取付部７４０は、第２部分７１２にネジ留めされているが、取り付け方法は、これに限定されない。そして、駆動基板用取付部７４０に、駆動基板８３１が取り付けられている。本実施形態では、駆動基板８３１は、駆動基板用取付部７４０にネジ留めされているが、取り付け方法は、これに限定されない。このような駆動基板用取付部７４０を設けることにより、容易に、駆動基板８３１をモーターカバー７１０に取り付けることができる。
【０１２９】
以上説明したように、ロボット１によれば、モーターカバー７１０の取付部７１３と位置決め部７１４とが一体的に形成（一体化）されているので、部品点数を削減することができ、構成を簡素化することができる。また、モーター４０１Ｍの小型化、軽量化を図ることができ、これにより、ロボット１の小型化、軽量化を図ることができる。
【０１３０】
また、モーターカバー７１０が位置決め部７１４を有しているので、容易かつ迅速に、モーター４０１Ｍに対してブレーキ２７を位置決めすることができる。
【０１３１】
また、モーターカバーと取付部とを別部材で構成した場合に比べて、モーター４０１Ｍをロボット１に取り付ける際、モーター４０１Ｍに取付部を取り付ける作業が不要となるので、ロボット１の組み立て（製造）、メンテナンス等を容易かつ迅速に行うことができる。また、部品管理の負担を軽減することができる。
【０１３２】
以上説明したように、ロボット１は、回動軸Ｏ１周りに回動可能なアーム１１と、回動可能な出力軸４１０を有するモーター本体７０と、前記モーター本体７０の外周部の少なくとも一部を覆うモーターカバー７１０と、を有し、アーム１１を回動させる駆動力を発生するモーター４０１Ｍと、モーター４０１Ｍに取り付けられ、出力軸４１０を制動することが可能なブレーキ２７と、を備えている。モーターカバー７１０は、モーター４０１Ｍをアーム１１に取り付ける取付部７１３と、モーター４０１Ｍに対してブレーキ２７を位置決めする位置決め部７１４と、を有し、取付部７１３と、位置決め部７１４とが一体的に形成されている。
【０１３３】
このようなロボット１によれば、モーターカバー７１０の取付部７１３と位置決め部７１４とが一体的に形成（一体化）されているので、部品点数を削減することができ、構成を簡素化することができる。また、モーター４０１Ｍの小型化、軽量化を図ることができ、これにより、ロボット１の小型化、軽量化を図ることができる。
【０１３４】
また、モーターカバー７１０が位置決め部７１４を有しているので、容易かつ迅速に、モーター４０１Ｍに対してブレーキ２７を位置決めすることができる。
【０１３５】
また、モーターカバーと取付部とを別部材で構成した場合に比べて、モーター４０１Ｍをロボット１に取り付ける際、モーター４０１Ｍに取付部を取り付ける作業が不要となるので、ロボット１の組み立て（製造）、メンテナンス等を容易かつ迅速に行うことができる。また、部品管理の負担を軽減することができる。
【０１３６】
また、取付部７１３は、出力軸４１０の軸方向と直交（交差）する方向において延在している。これにより、容易に、モーター４０１Ｍをアーム１１に取り付けることができる。
【０１３７】
また、位置決め部７１４は、ブレーキ２７と係合する凹部７１６を有する。これにより、簡易な構成でモーター４０１Ｍに対してブレーキ２７を位置決めすることができる。
【０１３８】
また、モーターカバー７１０は、第１部分７１１と、第１部分７１１よりもブレーキ２７側に配置された第２部分７１２と、を有し、出力軸４１０の軸方向から見て、第２部分７１２が第１部分７１１より外側に突出している。これにより、容易に、モーター４０１Ｍをアーム１１に取り付けることができる。
【０１３９】
また、第２部分７１２は取付部７１３を有する。これにより、容易に、モーター４０１Ｍをアーム１１に取り付けることができる。
【０１４０】
また、モーター４０１Ｍに取り付けられ、モーター４０１Ｍを駆動する駆動基板８３１を有し、モーターカバー７１０に、駆動基板８３１が取り付けられる駆動基板用取付部７４０が設けられている。これにより、駆動基板用取付部７４０を用いて、容易に、駆動基板８３１をモーターカバー７１０に取り付けることができる。
【０１４１】
＜第２実施形態＞
図１８は、第２実施形態（ロボットシステム）を示す斜視図（ブロック図を含む）である。
【０１４２】
以下、第２実施形態について説明するが、前述した実施形態との相違点を中心に説明し、同様の事項はその説明を省略する。
【０１４３】
図１８に示すように、第２実施形態では、ロボットシステム１００は、ロボット１と、ロボット１の駆動を制御する制御装置２００とを備えている。
【０１４４】
また、ロボット１では、支持部材５、制御基板８１および電源基板８２が省略されている。また、制御装置２００は、制御基板８１および電源基板８２の機能を備えている。換言すれば、制御装置２００は、制御基板８１および電源基板８２を備えていると言うこともできる。
【０１４５】
また、ロボット１と制御装置２００との通信方式は、例えば、ケーブル等を有する有線方式でもよく、また、無線方式でもよい。
【０１４６】
以上のような第２実施形態によっても、前述した実施形態と同様の効果を発揮することができる。
【０１４７】
なお、ロボット１は、支持部材５、制御基板８１および電源基板８２を備えていてもよい。すなわち、ロボットシステム１００は、支持部材５、制御基板８１および電源基板８２を有するロボット１と、制御装置２００とを備えていてもよい。
【０１４８】
以上説明したように、ロボットシステム１００は、ロボット１と、ロボット１の駆動を制御する制御装置２００と、を備える。
【０１４９】
このようなロボットシステム１００によれば、モーターカバー７１０の取付部７１３と位置決め部７１４とが一体的に形成（一体化）されているので、部品点数を削減することができ、構成を簡素化することができる。また、モーター４０１Ｍの小型化、軽量化を図ることができ、これにより、ロボット１の小型化、軽量化を図ることができる。
【０１５０】
また、モーターカバー７１０が位置決め部７１４を有しているので、容易かつ迅速に、モーター４０１Ｍに対してブレーキ２７を位置決めすることができる。
【０１５１】
また、モーターカバーと取付部とを別部材で構成した場合に比べて、モーター４０１Ｍをロボット１に取り付ける際、モーター４０１Ｍに取付部を取り付ける作業が不要となるので、ロボット１の組み立て（製造）、メンテナンス等を容易かつ迅速に行うことができる。また、部品管理の負担を軽減することができる。
【０１５２】
以上、本発明のロボットおよびロボットシステムを、図示の実施形態に基づいて説明したが、本発明はこれに限定されるものではなく、各部の構成は、同様の機能を有する任意の構成のものに置換することができる。また、他の任意の構成物が付加されていてもよい。
【０１５３】
また、本発明は、前記各実施形態のうちの、任意の２以上の構成（特徴）を組み合わせたものであってもよい。
【０１５４】
また、前記第１実施形態では、制御基板および電源基板（制御装置）が基台の収納空間に配置されているが、本発明では、これに限定されず、制御基板および電源基板は、それぞれ、基台以外の位置に配置されていてもよい。また、ロボットと、制御基板の一部または全部が別体であってもよく、また、ロボットと、電源基板の一部または全部が別体であってもよく、また、ロボットと、制御基板および電源基板（制御装置）のうちの一部または全部が別体であってもよい。
【０１５５】
また、前記実施形態では、ロボットの基台の固定箇所は、例えば、設置スペースにおける床であるが、本発明では、これに限定されず、この他、例えば、天井、壁、作業台、地上等が挙げられる。また、基台自体が移動可能であってもよい。
【０１５６】
また、本発明では、ロボットは、セル内に設置されていてもよい。この場合、ロボットの基台の固定箇所としては、例えば、セルの床部、天井部、壁部、作業台等が挙げられる。
【０１５７】
また、前記実施形態では、ロボット（基台）が固定される平面（面）である第１面は、水平面と平行な平面（面）であるが、本発明では、これに限定されず、例えば、水平面や鉛直面に対して傾斜した平面（面）でもよく、また、鉛直面と平行な平面（面）であってもよい。すなわち、第１回動軸は、鉛直方向や水平方向に対して傾斜していてもよく、また、水平方向と平行であってもよく、鉛直方向と平行であってもよい。
【０１５８】
また、前記実施形態では、ロボットアームの回動軸の数は、６つであるが、本発明では、これに限定されず、ロボットアームの回動軸の数は、例えば、１つ、２つ、３つ、４つ、５つまたは７つ以上でもよい。すなわち、前記実施形態では、アーム（リンク）の数は、６つであるが、本発明では、これに限定されず、アームの数は、例えば、１つ、２つ、３つ、４つ、５つ、または、７つ以上でもよい。この場合、例えば、前記実施形態のロボットにおいて、第２アームと第３アームとの間にアームを追加することにより、アームの数が７つのロボットを実現することができる。
【０１５９】
また、前記実施形態では、ロボットアームの数は、１つであるが、本発明では、これに限定されず、ロボットアームの数は、例えば、２つ以上でもよい。すなわち、ロボット（ロボット本体）は、例えば、双腕ロボット等の複数腕ロボットであってもよい。
【０１６０】
また、本発明では、ロボットは、他の形式のロボットであってもよい。具体例としては、例えば、脚部を有する脚式歩行（走行）ロボット、スカラーロボット等の水平多関節ロボット等が挙げられる。
【符号の説明】
【０１６１】
１…ロボット、２…ロボット本体、４…基台、５…支持部材、６…減速機、７…モーターユニット、１０…ロボットアーム、１１…第１アーム、１２…第２アーム、１３…第３アーム、１４…第４アーム、１５…第５アーム、１６…第６アーム、２７…ブレーキ、４１…側壁、４２…収納空間、４３…本体部、４４…蓋体、４５…リブ、４６…前壁、４７…姿勢規制部、５１…主基板、５２…後基板、７０…モーター本体、７１…ベルト、７２…プーリー、７３…プーリー、８１…制御基板、８２…電源基板、９１…配線、１００…ロボットシステム、１０１…床、１７１…関節、１７２…関節、１７３…関節、１７４…関節、１７５…関節、１７６…関節、２００…制御装置、３０１…モータードライバー、３０２…モータードライバー、３０３…モータードライバー、３０４…モータードライバー、３０５…モータードライバー、３０６…モータードライバー、４０１…第１駆動機構、４０１Ｍ…第１モーター、４０２…第２駆動機構、４０２Ｍ…第２モーター、４０３…第３駆動機構、４０３Ｍ…第３モーター、４０４…第４駆動機構、４０４Ｍ…第４モーター、４０５…第５駆動機構、４０５Ｍ…第５モーター、４０６…第６駆動機構、４０６Ｍ…第６モーター、４１０…出力軸、４１１…第１角度センサー、４１２…第２角度センサー、４１３…第３角度センサー、４１４…第４角度センサー、４１５…第５角度センサー、４１６…第６角度センサー、４３１…後端面、４５１…雌ネジ、４７１…溝、５１１…長辺、５１２…短辺、５１３…雌ネジ、５１４…雌ネジ、５２１…貫通孔、７１０…モーターカバー、７１１…第１部分、７１２…第２部分、７１３…取付部、７１４…位置決め部、７１５…貫通孔、７１６…凹部、７１７…雌ネジ、７２０…モーターカバー、７３０…雄ネジ、７４０…駆動基板用取付部、７６０…ステーター、７７０…ローター、８１１…貫通孔、８３１…駆動基板、８３２…駆動基板、８３３…駆動基板、８３４…駆動基板、８３５…駆動基板、８３６…駆動基板、９２１…配線、９２２…配線、４１０１…雌ネジ、５１３０…第１雌ネジ群、５１４０…第２雌ネジ群、８１１０…貫通孔群、Ｌ１…距離、Ｌ２…距離、Ｏ１…第１回動軸、Ｏ２…第２回動軸、Ｏ３…第３回動軸、Ｏ４…第４回動軸、Ｏ５…第５回動軸、Ｏ６…第６回動軸
【図１】
2019076985.tif 000003
【図２】
2019076985.tif 000004
【図３】
2019076985.tif 000005
【図４】
2019076985.tif 000006
【図５】
2019076985.tif 000007
【図６】
2019076985.tif 000008
【図７】
2019076985.tif 000009
【図８】
2019076985.tif 000010
【図９】
2019076985.tif 000011
【図１０】
2019076985.tif 000012
【図１１】
2019076985.tif 000013
【図１２】
2019076985.tif 000014
【図１３】
2019076985.tif 000015
【図１４】
2019076985.tif 000016
【図１５】
2019076985.tif 000017
【図１６】
2019076985.tif 000018
【図１７】
2019076985.tif 000019
【図１８】
2019076985.tif 000020